(57)【特許請求の範囲】
【請求項１】
監視対象の電子機器ユニットと、
前記電子機器ユニットと無線通信可能に接続されたＲＦＩＤリーダ／ライタと、
前記電子機器ユニットに関する情報を前記ＲＦＩＤリーダ／ライタを介して収集することにより当該電子機器ユニットを監視する監視サーバ装置と、を備え、
前記電子機器ユニットに、
該電子機器ユニットの内部に生じる環境及び回路の異常状態を感知するセンサ手段と、
前記異常状態の発生を通知する異常通知を、第１のＲＦＩＤアクティブタグを介して、前記ＲＦＩＤリーダ／ライタに通知する異常通知手段と、
前記ＲＦＩＤリーダ／ライタから発信される停止信号をＲＦＩＤパッシブタグを介して受信すると共に該停止信号に基づいてユニット内の回路機能を停止させる停止手段と、
該電子機器ユニットに固有の型番及びロット情報を、第２のＲＦＩＤアクティブタグを介して、前記ＲＦＩＤリーダ／ライタに送信する型番・ロット情報送信手段と、
を備えたことを特徴とする電子機器のラックマウントシステム。
【請求項２】
ロット情報を蓄積しているロット情報データベースと、不良ロット情報を蓄積している不良ロット情報データベースとを、さらに備え、前記監視サーバ装置は、前記ＲＦＩＤリーダ／ライタを介して収集した前記型番及びロット情報を、前記ロット情報データベースが蓄積しているロット情報と照合すると共に、前記異常通知手段による異常通知がなされた時には、前記型番及びロット情報を、前記不良ロット情報データベースが蓄積している不良ロット情報と照合することを特徴とする請求項１記載の電子機器のラックマウントシステム。
【請求項３】
前記第１及び第２のＲＦＩＤアクティブタグは、前記電子機器ユニット内から電源を供給され、一定時間間隔毎にＩＤ情報を発信するタイプのＲＦＩＤタグであることを特徴とする請求項１記載の電子機器のラックマウントシステム。
【請求項４】
前記ＲＦＩＤパッシブタグは、前記ＲＦＩＤリーダ／ライタからの電磁誘導やマイクロ波により電源を供給されると共に、前記ＲＦＩＤリーダ／ライタからのＩＤ情報を読み書きするタイプのＲＦＩＤタグであることを特徴とする請求項１記載の電子機器のラックマウントシステム。
【請求項５】
監視サーバ装置が監視する監視対象の電子機器ユニットに、
当該電子機器ユニットの内部に生じる環境及び回路の異常状態を感知するセンシングステップと、
前記異常状態の発生を通知する異常通知を、第１のＲＦＩＤアクティブタグを介して、前記監視サーバに接続されたＲＦＩＤリーダ／ライタに通知する異常通知ステップと、
前記ＲＦＩＤリーダ／ライタから発信される停止信号をＲＦＩＤパッシブタグを介して受信すると共に該停止信号に基づいてユニット内の回路機能を停止させる停止ステップと、
該電子機器ユニットに固有の型番及びロット情報を、第２のＲＦＩＤアクティブタグを介して、前記ＲＦＩＤリーダ／ライタに送信する型番・ロット情報送信ステップと、
を備えたことを特徴とする電子機器の監視方法。
【請求項６】
当該電子機器ユニットの内部に生じる環境及び回路の異常状態を感知するセンサ手段と、
前記異常状態の発生を通知する異常通知を、第１のＲＦＩＤアクティブタグを介して、外部のＲＦＩＤリーダ／ライタに通知する異常通知手段と、
前記ＲＦＩＤリーダ／ライタから発信される停止信号をＲＦＩＤパッシブタグを介して受信すると共に該停止信号に基づいてユニット内の回路機能を停止させる停止手段と、
該電子機器ユニットに固有の型番及びロット情報を、第２のＲＦＩＤアクティブタグを介して、前記ＲＦＩＤリーダ／ライタに送信する型番・ロット情報送信手段と、
を備えたことを特徴とするラックマウント型電子機器。
【発明の詳細な説明】
【技術分野】
【０００１】
本発明は電子機器のラックマウントシステム及び電子機器の監視方法並びにラックマウント型電子機器に係り、特に、ワイヤレスでの障害監視を可能とすると共に異常時の停止処理やロット情報管理を可能とする電子機器のラックマウントシステム及びラックマウント型電子機器の監視方法並びに電子機器に関する。
【背景技術】
【０００２】
コンピュータ装置などの電子機器を引き出し、自在に並列収納する装置としてラックマウントシステムが知られている。
従来、このラックマウントシステムでは、ラックを構成する各ユニットのステータス監視のために、一般に、ＬＡＮネットワークを介した異常の監視手段や、通報手段が採用されている。
一般に、電子機器は、回路基板上に多数の半導体集積回路等を形成する能動デバイスや抵抗器、コンデンサ等の受動素子を搭載しているが、この他に、これら電子回路に電力を供給する電源ユニットも備えている。
【０００３】
このため、ラックマウント型電子機器システムの構築に際しては、各種の信号処理を行う電子回路のユニットのみならず、これら電子回路のユニットに動作電力を供給する電源ユニット等についても、異常発生を監視する手段や、異常発生を通報する手段を備えることが望ましい。
近年、電子機器の異常発生を通報する等の手段として、電子機器が備えるＲＦタグから該電子機器のＩＤ情報を読み出す近距離の無線通信手段、即ち、ＲＦＩＤ（Radio Frequency Identification、「電波による個体識別」の略）を使用したワイヤレスな手段も開発されている。
【０００４】
この分野に関連する公知技術として、特許文献１には、センサネットワークにおいて、無線センサノードの位置の特定と、監視する監視対象との関連付けとを自動化することを目的とする技術が開示されている。具体的には、無線センサノードは、監視対象を監視してセンサ情報を出力するセンサからセンサ情報を受信するセンサ通信部と、無線で各種情報を出力する無線通信部と、センサの位置を特定する位置情報を出力する自己位置特定手段とを備えて、センサ情報と位置情報とを監視サーバに送信する。監視サーバは、無線センサノードからセンサ情報と位置情報とを受信し、センサ情報を監視対象の監視データとして記憶する監視データ管理部と、センサの位置情報に基づいてセンサノードの相対位置を示すマップを作成するセンサノードマップ作成部とを備えて、センサネットワークを管理するものとしている。
【０００５】
また、特許文献２には、停止指示移動体が発する無線の停止信号によって対象車両を停止させる、ＩＣタグを用いた対象車両停止システムが開示されている。具体的には、停止指示移動体が発する無線の停止信号によって対象車両を停止させる対象車両停止システムとしている。この対象車両停止システムは、対象車両に設置され、対象車両の速度あるいは加速度が所定の閾値を超えたと判断した場合に自己の識別情報を停止指示移動体に無線送信し、停止指示移動体から停止信号を無線受信したときに対象車両の停止手段に対象車両の停止を指示するＲＦＩＤタグを備えるものとしている。
【０００６】
さらに、特許文献３には、ＲＦＩＤタグを内蔵したファンを用いてファン監視機能を実現するファン、電子機器、ファン停止検出方法、プログラム及び記録媒体が開示されている。具体的には、電子部品を冷却するファンであって、ＲＦＩＤタグと、前記ファンの停止信号をスイッチにして前記ＲＦＩＤタグを起動する起動手段と、前記起動したＲＦＩＤタグからファンが停止した旨を無線通信する無線通信手段と、を備えるものとしている。
【先行技術文献】
【特許文献】
【０００７】
【特許文献１】特開２００５−３２８２３０号公報
【特許文献２】特開２００８−２９６６８４号公報
【特許文献３】特開２００９−１９４０６０号公報
【発明の概要】
【発明が解決しようとする課題】
【０００８】
しかしながら、上記背景技術で述べた従来の電子機器のラックマウントシステム及び電子機器の監視方法にあっては、前述のとおり、主として、ＬＡＮネットワークを介して各モジュールの障害を監視しているが、管理用ＬＡＮポートを備えず、また、ＦＷ等での障害監視インターフェイスを有さないモジュール（例えば電源タップ）等については障害の監視や異常発生時の停止処理が困難であるという課題が有った。
また、ＬＡＮケーブルのラック内配線を多数備える場合は、ラック構築時の配線工数の増大、保守交換時のメンテナンス性の悪化、ケーブル誤接続のリスク増といった問題点が有った。
さらに、各機器のシリアル・ロット情報の管理手段についても、ＬＡＮを介しては情報収集できない機器については、必要に応じてラベルを目視して確認する必要が有り、ロット不良等が発覚した場合には部品交換に多大な工数が掛かっているといった問題点も有していた。
【０００９】
なお、特許文献１に開示の技術は、ＲＦＩＤタグを使用するものではない。
また、特許文献２に開示の技術は、ＲＦＩＤタグを使用するものであるが、監視対象は車両であって、本発明の電子機器の管理とは目的が異なる。
さらに、特許文献３に開示の技術は、ＲＦＩＤタグを内蔵したファンを用いてファン監視機能を実現するものであるが、ＲＦＩＤタグを使用した通信手段は、一方向通信（異常の通知だけ）である。
【００１０】
これに対し、本発明は、コンピュータラックに実装されたユニット内に設置した第２のＲＦＩＤアクティブタグからユニットのＩＤ番号をＲＦＩＤリーダ／ライターを介して監視サーバに送信すると共に、ユニット内センサが異常を感知した場合は、ユニット内に設置した第１のＲＦＩＤアクティブタグからＲＦＩＤリーダ／ライターを介してユニットのＩＤ番号及び異常通知を監視サーバに向け発信する手段と、監視サーバがユニット内に設置したＲＦＩＤパッシブタグにＲＦＩＤリーダ／ライターを介して停止信号を送り、異常ユニットを停止させる手段とを備えることにより、管理用ＬＡＮポートや配線が無い場合であっても異常監視及び停止処理を可能とすることを骨子としている。
【００１１】
本発明は、上記従来の問題点に鑑みてなされたものであって、管理用ＬＡＮポートを有さないユニットに対してもワイヤレスでの障害監視手段及び停止処理手段や、シリアル情報・ロット情報の管理手段を実施することができる電子機器のラックマウントシステム及び電子機器の監視方法並びにラックマウント型電子機器を提供することを目的としている。
【課題を解決するための手段】
【００１２】
上記課題を解決するために、本発明に係る電子機器のラックマウントシステムは、監視対象の電子機器ユニットと、前記電子機器ユニットと無線通信可能に接続されたＲＦＩＤリーダ／ライタと、前記電子機器ユニットに関する情報を前記ＲＦＩＤリーダ／ライタを介して収集することにより当該電子機器ユニットを監視する監視サーバ装置と、を備え、前記電子機器ユニットに、該電子機器ユニットの内部に生じる環境及び回路の異常状態を感知するセンサ手段と、前記異常状態の発生を通知する異常通知を、第１のＲＦＩＤアクティブタグを介して、前記ＲＦＩＤリーダ／ライタに通知する異常通知手段と、前記ＲＦＩＤリーダ／ライタから発信される停止信号をＲＦＩＤパッシブタグを介して受信すると共に該停止信号に基づいてユニット内の回路機能を停止させる停止手段と、該電子機器ユニットに固有の型番及びロット情報を、第２のＲＦＩＤアクティブタグを介して、前記ＲＦＩＤリーダ／ライタに送信する型番・ロット情報送信手段と、を備えたことを特徴とする。
【００１３】
また、本発明に係る電子機器の監視方法は、監視サーバ装置が監視する監視対象の電子機器ユニットに、当該電子機器ユニットの内部に生じる環境及び回路の異常状態を感知するセンシングステップと、前記異常状態の発生を通知する異常通知を、第１のＲＦＩＤアクティブタグを介して、前記監視サーバに接続されたＲＦＩＤリーダ／ライタに通知する異常通知ステップと、前記ＲＦＩＤリーダ／ライタから発信される停止信号をＲＦＩＤパッシブタグを介して受信すると共に該停止信号に基づいてユニット内の回路機能を停止させる停止ステップと、該電子機器ユニットに固有の型番及びロット情報を、第２のＲＦＩＤアクティブタグを介して、前記ＲＦＩＤリーダ／ライタに送信する型番・ロット情報送信ステップと、を備えたことを特徴とする。
【００１４】
さらに、本発明に係るラックマウント型電子機器は、当該電子機器ユニットの内部に生じる環境及び回路の異常状態を感知するセンサ手段と、前記異常状態の発生を通知する異常通知を、第１のＲＦＩＤアクティブタグを介して、外部のＲＦＩＤリーダ／ライタに通知する異常通知手段と、前記ＲＦＩＤリーダ／ライタから発信される停止信号をＲＦＩＤパッシブタグを介して受信すると共に該停止信号に基づいてユニット内の回路機能を停止させる停止手段と、該電子機器ユニットに固有の型番及びロット情報を、第２のＲＦＩＤアクティブタグを介して、前記ＲＦＩＤリーダ／ライタに送信する型番・ロット情報送信手段と、を備えたことを特徴とする。
【発明の効果】
【００１５】
以上説明したように、本発明の電子機器のラックマウントシステムによれば、電子機器のユニット内部にＲＦタグを備えさせると共に、当該電子機器ユニットに関する情報をＲＦＩＤリーダ／ライタを介して収集し、監視サーバ装置によって監視することにより、電子機器ユニットコンソールユニットや電源ユニット等のモジュール（即ち、障害監視のＦＷ機能や、管理用ＬＡＮポートを有さないモジュール）に対しても、ワイヤレスでの障害監視及び異常時の停止処理を行うことが可能となる効果が有る。
【図面の簡単な説明】
【００１６】
【図１】本発明の実施形態に係る電子機器のラックマウントシステムの全体構成を示す構成図である。
【発明を実施するための形態】
【００１７】
以下、本発明の電子機器のラックマウントシステム及び電子機器の監視方法並びにラックマウント型電子機器について、図面を参照して詳細に説明する。
図１は、本発明の実施形態に係る電子機器のラックマウントシステムの全体構成を示す構成図である。
同図に示す本実施形態の電子機器のラックマウントシステムは、監視対象であるラック電源ユニット１（本発明の実施形態に係るラックマウント型電子機器）と、監視サーバ２０１と、ＲＦＩＤを読み書きするＲＦＩＤリーダ／ライタ２０２と、ロットに関する情報を提供するロット情報データベース３０１と、不良ロットに関する情報を提供する不良ロット情報データベース３０２と、を備える。
【００１８】
本実施形態では、監視対象となるラックマウント型電子機器をラック電源ユニット１としたが、本発明では、一般に、ラックマウント型電子機器を任意の電子機器とすることができる。
ラック電源ユニット１は、ラックマウント型電子機器としてラック（図示は省略）に搭載される電源ユニットであり、通常の電源回路を備える他、本発明に特徴的な構成要素である、ＲＦＩＤアクティブタグ１０１と、ＲＦＩＤパッシングタグ１０２と、ＲＦＩＤアクティブタグ１０３と、電圧センサ／温度センサ１０４と、電源ＩＣ１０５と、を備える。
なお、図１において、符号１０６は割り込み信号、符号１０７はPower-off信号、符号１０８は起電力を、それぞれ示すものである。
【００１９】
以下、本実施形態の電子機器のラックマウントシステムの機能について説明する。
本実施形態の電子機器のラックマウントシステムでは、監視対象となる電子機器（ここでは、図１に示すように、ラック電源ユニット１）のユニット内に、ＲＦＩＤアクティブタグ１０１，１０３及びＲＦＩＤパッシブタグ１０２を搭載するものとする。
ここでＲＦＩＤアクティブタグ１０１，１０３は，自ら電池等の電源を内蔵しており、タグ自身が一定時間間隔毎にＩＤ情報を発信するタイプのものであり、本発明ではユニット内から電源を供給されるＲＦＩＤタグである。
また、ＲＦＩＤパッシングタグ１０２は、ＲＦＩＤリーダ／ライタ２０２からの電磁誘導やマイクロ波を用いて自己に電源を供給すると共にＩＤなどの情報を読み書きするタイプのＲＦＩＤタグである。
【００２０】
まず、ユニット内のセンサ（ここでは電圧センサ／温度センサ１０４）が異常を感知した場合、該センサは、割り込み信号１０６をアサートして異常を通知する。
割り込み信号１０６がアサートされると、ＲＦＩＤアクティブタグ１０１に対して電源供給がONとなり、ユニットのＩＤ番号や異常通知が、ＲＦＩＤアクティブタグ１０１から発信される。
これらの発信された情報は、ＲＦＩＤリーダ／ライタ２０２を介して監視サーバ２０１に受信される。
監視サーバ２０１は、異常通知を含む前記情報を受け取ると、必要に応じて、当該ユニットに対し、ＲＦＩＤリーダ／ライタ２０２を介して停止信号４０２の電波を発信する。
【００２１】
この停止信号４０２の電波をＲＦＩＤパッシングタグ１０２のアンテナ（コイル）が受信すると、該コイルに起電力が発生する。この起電力をトリガにして、該ユニットの制御ＩＣ１０５に向けて停止信号が送出され、該ユニットの機能を停止させる。
また、ＲＦＩＤアクティブタグ１０３には、ユニットの型番・ロット情報が書き込まれている。これにより、該ユニットが、新しいユニットとしてラックに搭載されると、自動的にモジュールの型番情報やロット情報が監視サーバ２０１側で収集されるように構成している。
監視サーバ２０１側で収集された各機器のロット情報は、監視サーバ２０１からロット情報データベース３０１に送信して照合する。
さらに、不良ロットの発生が判明した場合は、不良ロット情報データベース３０２にロット情報を照会することで、どの顧客のどのラックに不良ロットのユニットが搭載されているか識別できるようにしている。
【００２２】
以下、本発明に係る電子機器のラックマウントシステムの動作について説明する。
ラック電源ユニット１は、前述のとおり内部に電圧センサ／温度センサ１０４を備えており、ユニット内の環境に異常な高温が発生したり、ユニット内の回路系統に電圧不良が発生した場合、割り込み信号１０６をアサートして異常を通知する。
割り込み信号１０６がアサートされると、ＲＦＩＤアクティブタグ１０１に対する電源供給がONとなり、ＲＦＩＤアクティブタグ１０１は、当該電源ユニットのＩＤ番号や異常温度・異常電圧を通知する電波信号である異常通知４０１を発信する。
【００２３】
監視サーバ２０１は、ＵＳＢポートを介してＲＦＩＤリーダ／ライタ２０２と接続されており、障害ユニット（ここではラック電源ユニット１）のＲＦＩＤアクティブタグ１０１から発信された当該ユニットのＩＤ情報や障害発生日時の情報等を、イベントログに記録すると共に、必要に応じて外部に通報（警告）を行う。
当該ユニットの停止処理が必要と判断される異常の場合（例えば、異常高温が発生した場合）には、監視サーバ２０１は、障害ユニット（ここではラック電源ユニット１）に対してＲＦＩＤリーダ／ライタ２０２を介して停止信号４０２の電波を発信する。
例えば、障害ユニット（ここではラック電源ユニット１）のPower-OFF 処理を実行させたい場合、ＲＦＩＤリーダ／ライタ２０２からＲＦＩＤパッシブタグ１０２に対して電波信号である停止信号４０２を発信する。
【００２４】
この電波信号をＲＦＩＤパッシブタグ１０２のアンテナ（コイル）が受信すると、コイルに起電力１０８が発生する。この起電力１０８をトリガにして障害ユニット（ここではラック電源ユニット１）の制御ＩＣ１０５へ、Power-Off信号１０７を送信する。
同様に、他のラックユニットであるＦＡＮユニット等に対しては、その環境温度の異常時にＦＡＮブーストの信号を送ることも可能である。
なお、ＲＦＩＤアクティブタグ１０３には、ロット情報のトレーサビリティのために、ユニットの型番及びロット情報を予め書き込んでおくものとする。
【００２５】
これにより、ユニットの増設や交換等の必要が生じて新しいユニットがラックに搭載される場合には、自動的にモジュールの型番情報やロット情報（ここではロット情報４０３）をサーバ２０１側で収集することができる。また、これにより、サーバ２０１からＲＦＩＤアクティブタグ１０３に対して、該タグが搭載されているラックのＩＤ情報等を書き込むことも可能となる。
このサーバ２０１側で収集された各機器のロット情報４０３は、ラック搭載された各機器の型番・ロット情報４０５として、サーバ２０１からロット情報データベース３０１に送信する。これにより、不良ロットの発生が判明した場合には、ロット情報データベース３０１に該ロット情報を照会することで、どの顧客の、どのラックに、不良ロットのユニットが搭載されているかを識別することができる。
【００２６】
この実施形態によれば、コンソールユニットや電源ユニット等のモジュール（即ち、障害監視のＦＷ機能や管理用ＬＡＮポートを有さないモジュール）に対しても、ワイヤレスでの障害監視及び異常時の停止処理を行うことが可能となる効果が有る。
また、ラック内配線の削減が可能となり、ラック構築時の配線工数、保守交換時のメンテナンス性の向上等が可能になる効果が有る。
さらに、ラックに搭載されているＬＡＮポートを介しての情報収集できないユニットのシリアル・ロット情報の管理についても、ＲＦＩＤタグを介してのデータベースでの管理が可能になり、ロット不良等が発覚した場合の交換対象装置の調査に要する工数の削減が可能になる効果が有る。
【符号の説明】
【００２７】
１  ラック電源ユニット
１０１  ＲＦＩＤアクティブタグ
１０２  ＲＦＩＤパッシブタグ
１０３  ＲＦＩＤアクティブタグ
１０４  電圧センサ／温度センサ
１０５  制御ＩＣ
１０６  割り込み信号
１０７  Power-off信号
１０８  起電力
２０１  監視サーバ
２０２  ＲＦＩＤリーダ／ライタ
３０１  ロット情報データベース
３０２  不良ロット情報データベース
４０１  異常通知
４０２  停止信号
４０３  型番・ロット情報
４０４  搭載ラックＩＤ
４０５  ラック搭載された各機器の型番・ロット情報
４０６  ロット情報照会
【図１】
0005601222.tif 000002